(57)【要約】【課題】簡易な構成により原稿の端部を正確に検出する画像読取装置を提供する。【解決手段】搬送される原稿の第一面に光を照射し、その反射光を受光することにより該原稿の第１面を読取ると共に、原稿の搬送方向に対して上流側から原稿に光を照射し、原稿の先端部を検出する。また、搬送される原稿の第１面の反対側の第２面に光を照射し、その反射光を受光することにより該原稿の第２面を読み取ると共に、搬送方向に対して下流側から原稿に光を照射し、原稿の後端部を検出する。【選択図】図６
2017147619.tif 000002
【特許請求の範囲】
【請求項１】
搬送される原稿の第一面に光を照射し、その反射光を受光することにより該原稿の第１面を読取ると共に、前記原稿の搬送方向に対して上流側から原稿に光を照射し、原稿の先端部を検出するための第１の読取手段と、
搬送される原稿の前記第１面の反対側の第２面に光を照射し、その反射光を受光することにより該原稿の第２面を読み取ると共に、前記搬送方向に対して下流側から原稿に光を照射し、原稿の後端部を検出するための第２の読取手段と、
を備えることを特徴とする画像読取装置。
【請求項２】
前記第１の読取手段が前記上流側から光を照射して取得する第１の取得の結果から原稿の前記先端部を判定し、前記第２の取得手段が前記下流側から光を照射して取得する第２の取得の結果から前記後端部を判定する端部判定手段、をさらに備え、
前記端部判定手段は、
前記第１の取得の結果のうち所定の輝度値以下の第１の暗部と、前記第２の取得の結果のうち前記所定の輝度値以下の第２の暗部とに基づいて、原稿の前記先端部及び前記後端部を判定する、
ことを特徴とする請求項１に記載の画像読取装置。
【請求項３】
前記第１の暗部と前記第２の暗部は、前記原稿を光学的に読み取るための光源から照射された光が、前記原稿の端部で遮られることにより生じる影である、ことを特徴とする請求項２に記載の画像読取装置。
【請求項４】
前記端部判定手段による前記原稿の端部の判定の結果に基づいて、前記第１の取得の結果と前記第２の取得の結果から原稿領域を抽出する抽出手段、をさらに備えることを特徴とする請求項２又は３に記載の画像読取装置。
【請求項５】
前記第１の読取手段および前記第２の読取手段は、前記原稿が給送されていない場合には、白色基準板を読み取ることを特徴とする請求項１乃至４のいずれか１項に記載の画像読取装置。
【請求項６】
原稿給送装置から給送された原稿の第一面および第二面を光学的に読み取る画像読取装置であって、
前記第一面を光学的に読み取って第１の読取データを取得する第１の読取手段と、
前記第１の読取手段から前記原稿の搬送方向の下流にずれて配置された、前記第二面を光学的に読み取って第２の読取データを取得する第２の読取手段と、
前記第１の読取手段により取得された前記第１の読取データと前記第２の読取手段により取得された前記第２の読取データそれぞれから、所定の条件を満たすように輝度値が低下する暗部を特定する特定手段と、
前記特定手段により特定された前記暗部に基づいて、前記第一面および前記第二面の端部を検出する検出手段と、
を備えることを特徴とする画像読取装置。
【請求項７】
画像読取装置において実行される原稿端検出方法であって、
搬送される原稿の第一面に光を照射し、その反射光を受光することにより該原稿の第１面を読取ると共に、前記原稿の搬送方向に対して上流側から原稿に光を照射し、原稿の先端部を検出する第１の読取工程と、
搬送される原稿の前記第１面の反対側の第２面に光を照射し、その反射光を受光することにより該原稿の第２面を読み取ると共に、前記搬送方向に対して下流側から原稿に光を照射し、原稿の後端部を検出する第２の読取工程と、
を有することを特徴とする原稿端検出方法。
【発明の詳細な説明】
【技術分野】
【０００１】
本発明は、原稿を光学的に読み取る画像読取装置および原稿端検出方法に関する。
【背景技術】
【０００２】
自動原稿給送装置から給紙された原稿をスキャンする画像読取装置には、原稿を読み取るために1列に配置されたイメージセンサと直交する副走査方向の原稿読取開始位置を検出するために、原稿先端の位置を検知するための構成が設けられている。また、副走査方向の原稿読取終了位置を検出するために、原稿後端の位置を検知するための構成が設けられている。
【０００３】
しかしながら、原稿読取開始位置や原稿読取終了位置を検知するための部品組付け位置の累積によって予め定められた距離について、装置毎にバラツキが生ずる。また、位置検知を行うために、専用の光学センサ等を設けることはコストの増加を招いてしまう。
【０００４】
特許文献１には、位置検出を行うためのセンサを設けることなく原稿の読取画像から端部を検出する装置が記載されている。特許文献１には、副走査方向に離間して配置された第一の発光部および第二の発光部を備え、発光状態を交互に切り替えて原稿の領域の判定を行うことが記載されている。
【先行技術文献】
【特許文献】
【０００５】
【特許文献１】特開２０１４−３３９７号公報
【発明の概要】
【発明が解決しようとする課題】
【０００６】
しかしながら、それぞれの発光部を交互に点灯して読み取るため、原稿端によって発生する影が、１ライン毎にしか検出できなくなってしまう。つまり、実際に原稿端によって発生する影に対して、読み取り結果から検出される影のデータは半分になってしまう。そのため、影の領域を正確に検出することができず、原稿の端部を正確に検出することが難しかった。
【０００７】
本発明の目的は、このような従来の問題点を解決することにある。上記の点に鑑み、本発明は、簡易な構成により原稿の端部を正確に検出する画像読取装置および原稿端検出方法を提供することを目的とする。
【課題を解決するための手段】
【０００８】
上記課題を解決するため、本発明に係る画像読取装置は、搬送される原稿の第一面に光を照射し、その反射光を受光することにより該原稿の第１面を読取ると共に、前記原稿の搬送方向に対して上流側から原稿に光を照射し、原稿の先端部を検出するための第１の読取手段と、搬送される原稿の前記第１面の反対側の第２面に光を照射し、その反射光を受光することにより該原稿の第２面を読み取ると共に、前記搬送方向に対して下流側から原稿に光を照射し、原稿の後端部を検出するための第２の読取手段と、を備えることを特徴とする。
【発明の効果】
【０００９】
本発明によれば、簡易な構成により原稿の端部を正確に検出することができる。
【図面の簡単な説明】
【００１０】
【図１】画像読取装置の構成を示す図である。
【図２】画像読取装置の制御構成を示すブロック図である。
【図３】第１の読取ユニットと原稿の位置関係を示す図である。
【図４】第２の読取ユニットと原稿の位置関係を示す図である。
【図５】原稿の画像データにおける副走査位置と輝度値の関係を示す図である。
【図６】原稿端検出処理を示すフローチャートである。
【図７】第一面の画像と第二面の画像を示す図である。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
図１は、原稿の画像を光学的に読み取る画像読取装置の構成を示す側断面図である。図１に示す画像読取装置１００は、スキャナユニット１とＡＤＦユニット２とを含んで構成される。
【００１３】
ＡＤＦユニット２は、スキャナユニット１の端部で接続され開閉可能な仕組みになっている。ユーザは、ＡＤＦユニット２を開くことで原稿を原稿台ガラス１４上に載置し、スキャナユニット１は、載置された原稿の読取を行う。ＡＤＦユニット２には原稿トレイ７（ＡＤＦ給紙トレイ）が設けられている。複数枚の原稿６を原稿トレイ７に載置された場合、それらの原稿を一枚ずつ給送することで、スキャナユニット１は、連続的に原稿の画像読取を行うことができる。スキャナユニット１は、ＣＣＤ、ＣＩＳ等で構成される第１の読取ユニット１３（読取部）を使用して光を原稿に照射し、原稿による反射光を受光し、反射光を光電変換して画像信号を生成する。このようにして原稿の画像を読み取ることにより、画像データが生成される。
【００１４】
第１の読取ユニット１３は、第１の照明部２５と第１の光学レンズ２６と第１の撮影部２７とを含んで構成され、原稿６の載置側と反対側に、読取ガラス（原稿台ガラス１４又は第１の流し読みガラス１５）に密着するように配置される。
【００１５】
第１の照明部２５は、原稿台ガラス１４に対して傾斜する方向から原稿を照明する。第１の光学レンズ２６は、複数のセルフォックレンズ（登録商標）がアレイ状に配置されたレンズアレイである。第１の光学レンズ２６は、第１の照明部２５から照射されて原稿面にて反射された光を、所定の結像位置へと導き、原稿からの反射光を収束して等倍で読み取る。第１の撮影部２７は、所定の方向に配列された複数の光電変換素子等の光学系から構成され、第１の光学レンズ２６により所定の結像位置へと導かれた光を撮像する。
【００１６】
このように、第１の読取ユニット１３は、読取ガラス上の一方の表面を順次搬送される原稿の面を、読取ガラスの他方の表面の側から読み取る。
【００１７】
尚、本実施形態では、第１の撮影部２７はＣＭＯＳセンサであるとする。第１の撮影部２７にて撮像して得られた原稿の画像データは、メモリ等の記憶部に格納される。このような構成の第１の読取ユニット１３は、駆動ベルト１６に装着され、スキャナモータ１８の駆動力が駆動ベルト１６を介して伝達されることにより、ガイドレール１７に沿って矢印Ｈ方向（副走査方向）に移動する。
【００１８】
スキャナユニット１では、第１の読取ユニット１３をスキャナモータ１８の駆動力により副走査方向Ｈに移動させながら、第１の読取ユニット１３を図の紙面と交差する方向（主走査方向）に電気的に走査することにより原稿の画像を読み取る。スキャナモータ１８にはステッピングモータやＤＣモータ等が用いられる。また、画像読取時には、スキャナユニット１は、原稿台ガラス１４の端部に設けられた白色基準板１２に光を照射して、その反射光からシェーディング補正を行うための基準信号を取得する。複数の光電変換素子の配列方向は、主走査方向に対応する。
【００１９】
ＡＤＦユニット２は、原稿トレイ７上に表面を上に向けて載置された複数枚の原稿６をピックアップローラ８により最上位の原稿から分離部９へと送り出す。分離部９は、上方に分離ローラ、下方に分離パッドが配置されており、複数枚の原稿６をその最上紙より一枚ずつ分離する。分離された原稿は、第１レジストローラ１０によって分離搬送中に発生した斜行補正を行った後、第１レジストローラ１０から第２レジストローラ１１、第１搬送ローラ１２により搬送される。更に、分離された原稿は、流し読み位置を通過して、第２搬送ローラ１３から第３搬送ローラ２３及び排紙ローラ２４により、排紙トレイ５上に原稿表面を下に向けて順番に排出される。また、第１搬送ローラ１２と第２搬送ローラ１３との間には、第２の読取ユニット４と第１の白色部材３が設けられている。第１の白色部材３は原稿６が第１の流し読みガラス１５の上に無い場合に、第１の読取ユニット１３によって読取が可能な位置に配置されている。この第１の白色部材３の直下の位置が、第１の読取ユニット１３のホームポジション（待機位置）となる。
【００２０】
第２の読取ユニット４も第１の読取ユニット１３と同様にＣＣＤ、ＣＩＳ等で構成され、第２の照明部２０と第２の光学レンズ２１と第２の撮影部２２を含み、原稿による反射光を受光し、反射光を光電変換して画像信号を生成して画像データを得る。また、第２の読取ユニット４は、第２の流し読みガラス２８に密着するようになっており、第１の読取ユニット１３とは異なる原稿６の原稿面を読み取るように配置されている。スキャナユニット１に含まれる第２の白色部材１９は、原稿６が第２の流し読みガラス２８の下に無い場合に第２の読取ユニット４で読取り可能な位置に配置される。
【００２１】
シートスルー方式で画像読取りを行う際は、第１の読取ユニット１３は、流し読みガラス１５の下側に移動して原稿６の表面（第一面）を読み取り、第２の読取ユニット４は、原稿６の裏面（第二面）を読み取る。そのような構成により、原稿６の両面が同時に読み取られる。
【００２２】
スキャナユニット１側では、流し読みガラス１５の所定の位置（読取位置Ｒ）を読み取るべく第１の読取ユニット１３を移動し、ＡＤＦユニット２によって一定速度で搬送させられる原稿上の画像を読み取る。尚、スキャナユニット１が読み取っている第１の流し読みガラス１５上の所定の位置を「流し読み位置」と呼ぶことにする。
【００２３】
図２は、画像読取装置の制御構成を示すブロック図である。第１の読取ユニット１３は、ＬＥＤ駆動回路（ドライバ）３１が主走査方向の１ライン毎に第１の照明部２５の光量調整を行ってＬＥＤ光源（以下、ＬＥＤ）の点灯時間を制御し、原稿の画像を読み取る。第１の増幅器（ＡＭＰ）３５は、第１の読取ユニット１３から出力された電気信号を増幅し、第１のＡ／Ｄ変換回路３６は、その増幅された電気信号をＡ／Ｄ変換して、例えば、各画素各色成分を１６ビットの輝度値として表現するデジタル画像信号を出力する。
【００２４】
同様に、第２の読取ユニット４も、ＬＥＤ駆動回路（ドライバ）３２が主走査方向の１ライン毎に第２の照明部２０の光量調整を行ってＬＥＤの点灯時間を制御し、原稿の画像を読み取る。第２の増幅器（ＡＭＰ）３３は、第２の読取ユニット４から出力された電気信号を増幅し、第２のＡ／Ｄ変換回路３４は、その増幅された電気信号をＡ／Ｄ変換して、デジタル画像信号を出力する。第１のＡ／Ｄ変換回路３６と第２のＡ／Ｄ変換回路３４を含め、Ａ／Ｄ変換のために必要な構成をまとめて変換部という。
【００２５】
尚、第１の照明部２５は、ＲＧＢ各色のＬＥＤ４８、４９、５０から構成され、ＣＰＵ３０の制御の下、タイミング発生回路３７で生成されたタイミング信号に基づいてＬＥＤ駆動回路３１が動作することで、ＬＥＤ４８、４９、５０の点灯が制御される。
【００２６】
同様に、第２の照明部２０も、ＲＧＢ各色のＬＥＤ５２、５３、５４から構成され、ＣＰＵ３０の制御の下、タイミング発生回路３７で生成されたタイミング信号に基づいてＬＥＤ駆動回路３２が動作することで、ＬＥＤ５２、５３、５４の点灯が制御される。ＬＥＤ駆動回路３２は、シートスルー方式での読取りが行われる場合のみ動作する。
【００２７】
ＣＰＵ３０は、画像処理が実行可能であり、Ａ／Ｄ変換回路３４及び３６によって変換されたデジタル画像信号の画像処理を実行する。この画像処理には、シェーディング補正処理をはじめ、画像読取に必要な各種処理が含まれる。メモリ４７は、画像処理により得られた画像データを記憶し、ＣＰＵ３０を介してインクジェット記録方式や電子写真方式を採用したプリンタ、さらには外部装置とのインタフェースに接続して、画像転送を行う。
【００２８】
モータ駆動回路３８は、ＣＰＵ３０の設定に応じてスキャナモータ１８を回転させ、第１の読取ユニット１３を一定速度で移動させる。また、モータ駆動回路３９は、ＣＰＵ３０の設定に応じてＡＤＦモータ４０を回転させ、ＡＤＦユニット２に載置された原稿を搬送する。
【００２９】
ＣＰＵ３０は、ＲＯＭ４４に記憶されるプログラムを読み出し、ＲＡＭ４３上で実行することにより、画像読取装置の各種構成要素の動作を制御する。また、画像読取装置１００への各種操作や設定は、操作部４２を介して受け付ける。操作部４２は、例えば、表示部（液晶ディスプレイ、ＬＥＤ等）、指示部（ボタン、タッチパネル）等から構成され、読取指示や部数設定、読取原稿サイズの指定、変倍等の各種操作を受付ける。また、ＣＰＵ３０には、読み取った画像データより原稿６の影を検出する影検出部４５と、原稿の端部位置を判定（端部判定）する端部位置判定部４６とを含む。
【００３０】
次に、シートスルー方式による読取処理における原稿６を読み取る際の影の発生原理について説明する。
【００３１】
図３は、第１の読取ユニット１３と原稿６の位置関係を示す図である。図３（ａ）に示すように原稿が無い場合、第１の照明部２５から第１の流し読みガラス１５を介して第１の白色部材３に照射され反射した光は、第１の撮影部２７に入る。この時に読み込まれる画像データは、白色部材３を読み取ったデータとなる。
【００３２】
図３（ｂ）に示すように搬送された原稿６の先端が第１の光学レンズ２６の上部にある場合、第１の照明部２５から照射された光は、原稿６の表面に遮断されるので、第１の撮影部２７に反射光はほとんど入ってこない。そのため、この時に読み込まれる画像データは、影（暗部）を読み取ったデータとなり、輝度が低くなる。
【００３３】
一方、図３（ｃ）に示すように搬送された原稿６の後端が第１の光学レンズ２６の上部にある場合、原稿６の後端側は第１の照明部２５から照射された光は遮断されないので、原稿６の後端部より反射された光は、第１の撮影部２７に入る。その時に読み込まれるデータは、影にならない。このようにして第１の読取ユニット１３を用いて搬送された原稿６の読取画像は、先端部は影となり、後端部は影にならない。
【００３４】
図４は、第２の読取ユニット４と原稿６の位置関係を示す図である。図４（ａ）に示すように原稿が無い場合、第２の照明部２０から第２の流し読みガラス２８を介して白色部材１９に照射され反射した光は、第２の撮影部２１に入る。この時に読み込まれる画像データは、白色部材１９を読み取ったデータとなる。
【００３５】
一方、図４（ｂ）に示すように搬送された原稿６の後端が光学レンズ２１の上部にある場合、原稿６の後端側は、第２の照明部２０から照射された光は遮断されないので、原稿６の後端部より反射された光は、第２の撮影部２２に入る。その時に読み込まれるデータは、影にならない。
【００３６】
図４（ｃ）に示すように搬送された原稿６の先端が光学レンズ２１の上部にある場合、第２の照明部２０から照射された光は、原稿６の表面に遮断されるので、第２の撮影部２２に反射光はほとんど入ってこない。そのため、この時に読み込まれる画像データは、影を読み取ったデータとなり、輝度が低くなる。
【００３７】
このようにして第２の読取ユニット４を用いて搬送された原稿６の読取画像は、後端部は影となり、先端部は影にならない。つまり、第１の読取ユニット１３で画像読取を行った場合に比べると、影の発生する位置が異なる。影検出部４５は、原稿に発生する影の位置を画像データから判定する。
【００３８】
次に、画像データから原稿６の先端部と後端部の位置を検知する方法について説明する。
【００３９】
図５は、第１の読取ユニット１３と第２の読取ユニット４とで読み取られた原稿６の画像データにおける副走査位置と輝度値の関係を示す図である。図５（ａ）に示すように、第１の読取ユニット１３で読み取られた原稿６の表面の画像データは、先端側が影となるので、影による輝度の低下した位置である副走査位置Ｘ１が端部位置判定部４６により先端（原稿の第一面の一端）と判定される。また、図５（ｂ）に示すように第２の読取ユニット４で読み込まれた原稿６の表面の画像データは、後端側が影となるので、影による輝度の低下した位置である副走査位置Ｘ２が端部位置判定部４６により後端（原稿の第二面の一端）と判定される。
【００４０】
端部位置判定部４６は、輝度の変化が影となる所定の輝度変化の条件を満たすものであるか否かにより原稿端部を特定する。端部位置判定部４６は、例えば、所定の輝度変化として、輝度が閾値以下（所定の輝度値以下）に低下した場合に、その部分を影、即ち、原稿端部として特定する。
【００４１】
この時、第１の読取ユニット１３と第２の読取ユニット４は、副走査方向（搬送方向）が異なる位置にずれて配置されているので、それぞれの画像データにおいて先端及び後端の副走査位置が異なる。予め算出しておいた第１の読取ユニット１３と第２の読取ユニット４の副走査方向の位置の差をＬとした場合、第１の読取ユニット１３で読み取ったデータの後端（原稿の第一面の他端）部分は、副走査位置Ｘ２からＬの差分を引いた値となる。また、第２の読取ユニット４で読み取った画像データの先端位置（原稿の第二面の他端）は、副走査位置Ｘ１からＬを足した値となる。このようにして端部位置判定部４６は、原稿の端部の位置を特定する。
【００４２】
このようにして、第１の読取ユニット１３、第２の読取ユニット４のそれぞれで読み取った画像データの先端及び後端の位置を検知することができる。
【００４３】
この時、第１の読取ユニット１３は、第２の読取ユニット４よりも副走査方向上流側にあり、第２の読取ユニット４は、第１の読取ユニット１３よりも副走査方向下流側にある。従って、必ず第２の読取ユニット４の下部を原稿６の後端が通過するタイミングで第１の読取ユニット１３は、白色部材３を読み取る状態となる。第１の読取ユニット１３は、原稿６が搬送される前の白色部材３を読み取った輝度値Ｋ１を予め記憶しておき、第１の読取ユニット１３の読取データが輝度値Ｋ１になった時、第２の読取ユニット４の画像データのエッジ検出時に後端と判定する。このようにして端部位置判定部４６は、原稿６に印刷された部分のエッジと影の区別をすることができ、より精度の高い後端検知をすることができる。
【００４４】
次に、画像読取装置において、シートスルー方式による読取処理について説明する。
【００４５】
図６は、シートスルー方式の読取開始から読取終了までの原稿端検出処理を示すフローチャートである。尚、図６に示すフローチャートは、ＣＰＵ３０がＲＯＭ４４に記憶されたプログラムを読み出してＲＡＭ４３上で実行することにより実現される。
【００４６】
ユーザによってシートスルー方式による画像読取が指示されると、Ｓ１０１において、ＣＰＵ３０は、スキャナモータ１８を駆動し、第１の読取ユニット１３を流し読み位置に移動させる。
【００４７】
Ｓ１０２において、ＣＰＵ３０は、第１の読取ユニット１３と第２の読取ユニット４による読取りを開始する。Ｓ１０３において、ＣＰＵ３０は、第１の読取ユニット１３で読み取られ第１のＡ／Ｄ変換回路３６から転送される画像データから、第１の白色部材３の輝度Ｋ１を取得してメモリ４７に格納する。
【００４８】
Ｓ１０４において、ＣＰＵ３０は、ＡＤＦモータ４０を駆動し、原稿６の搬送を開始する。Ｓ１０５において、ＣＰＵ３０は、第１の読取ユニット１３で読み取られ第１のＡ／Ｄ変換回路３６から転送される画像データから、影が検出されたか否かを判定する。ここで、影が検出されたと判定されなかった場合、影が検出されるまでＳ１０５の処理を繰り返す。影が検出されたと判定された場合、Ｓ１０６に進む。
【００４９】
次に、Ｓ１０６において、ＣＰＵ３０は、Ｓ１０５で検出した影から、影の主走査方向の幅Ｗ、影の主走査方向の左端の位置Ｙ１、影の主走査方向右端の位置Ｙ２を取得してメモリ４７に格納する。
【００５０】
Ｓ１０７において、ＣＰＵ３０は、第１の読取ユニット１３で読み取られ第１のＡ／Ｄ変換回路３６から転送される画像データと、Ｓ１０３でメモリ４７に格納された白色部材３の輝度Ｋ１とが等しいか否かを判定する。前述のように、本判定は、原稿６の後端を検知するために、第１の読取ユニット１３の上部に原稿６があるかを確認するために行われる。原稿６が第１の読取ユニット１３の上部にない場合、白色部材３の輝度Ｋ１と第１の読取ユニット１３での読取りの輝度値とは等しくなる。ここで、輝度Ｋ１と第１の読取ユニット１３での読取りの輝度値とが等しくないと判定された場合、Ｓ１０７の処理を繰り返す。輝度Ｋ１と第１の読取ユニット１３での読取りの輝度値とが等しいと判定された場合、Ｓ１０８に進む。
【００５１】
Ｓ１０８において、ＣＰＵ３０は、第２の読取ユニット４で読み取られ第２のＡ／Ｄ変換回路３４から転送される画像データから、影が検出されたか否かを判定する。ここで、影が検出されたと判定されなかった場合、Ｓ１０７に戻る。影が検出されたと判定された場合、Ｓ１０９に進む。
【００５２】
Ｓ１０９において、ＣＰＵ３０は、Ｓ１０８で検出した影の主走査方向の幅を取得し、Ｓ１０６でメモリ４７に格納された主走査方向の幅Ｗと等しいか否かを判定する。ここで、等しくないと判定された場合、Ｓ１０７に戻る。等しいと判定された場合、後端を検知したということなので、Ｓ１１０に進み、読取を終了する。
【００５３】
以上のように、第１の読取ユニット１３で先端を読み取った影の幅と、第２の読取ユニット４で後端を読み取った影の幅とが一致しているかを判定することによって、第２の読取ユニット４での後端検知の精度を向上させることができる。
【００５４】
読取終了後はＳ１１１において、ＣＰＵ３０は、原稿端部の検出結果に基づいて読取画像のトリミング処理を行い、その後、図６の処理は終了する。
【００５５】
次に、Ｓ１１１のトリミング処理について説明する。
【００５６】
図７は、第１の読取ユニット１３で読み取られた画像と第２の読取ユニット４で読み取られた画像を示す図である。図７（ａ）は、第１の読取ユニット１３で読み取られた画像データを示している。主走査方向のトリミング処理では、Ｓ１０６でメモリ４７に格納された影の左端部Ｙ１と右端部Ｙ２の間以外の領域の画像データを削除する。また、副走査方向のトリミング処理では、前述の副走査位置Ｘ１と副走査位置Ｘ３の間以外の領域の画像データを削除して原稿領域を抽出する。
【００５７】
図７（ｂ）は、第２の読取ユニット４で読み取られた画像データを示している。第２の読取ユニット４で読み取られた画像データも同様に、主走査方向のトリミング処理では、Ｓ１０６でメモリ４７に格納された影の左端部Ｙ１と右端部Ｙ２の間以外の領域の画像データを削除する。また、副走査位置方向のトリミング処理では、前述の副走査位置Ｘ４と副走査位置Ｘ２の間以外の領域の画像データを削除して原稿領域を抽出する。
【００５８】
以上のように、本実施形態によれば、両面同時読取を行う画像読取装置における自動原稿給送装置から給紙される原稿の端部の検知を、原稿のサイズ検知を行うための専用センサを配置することなく、簡易な構成で行うことができる。さらに、原稿の画像サイズへのトリミング処理を精度良く実行することができる。
【００５９】
本実施形態では、画像読取装置を単機能の装置として独立したスキャナ装置を例として説明したが、これに限定されるものではない。例えば、上述の画像読取装置を画像読取部として組み込んだ複写機としても良いし、複写機にファクシミリ機能を加えた複合機として構成されても良い。さらに、複写機の画像形成部として電子写真方式に従うプリンタエンジンのみならず、インクジェット記録方式を採用したプリンタエンジンを備えた構成の装置であっても良い。
【符号の説明】
【００６０】
４  第２の読取ユニット：  １３  第１の読取ユニット：  ３０  ＣＰＵ：  ４３  ＲＡＭ：  ４４  ＲＯＭ：  ４５  影検出部：  ４６  端部位置判定部：  １００  画像読取装置
【図１】
2017147619.tif 000003
【図２】
2017147619.tif 000004
【図３】
2017147619.tif 000005
【図４】
2017147619.tif 000006
【図５】
2017147619.tif 000007
【図６】
2017147619.tif 000008
【図７】
2017147619.tif 000009